(57)【要約】【課題】  読取デバイスによって原稿から読み取られた画像を利用者に関連付けて取り込むための操作を容易化することができる読取画像取込システム、読取画像取込装置および読取画像取込プログラムを提供する。【解決手段】  読取画像取込システムは、原稿から画像を読み取る（Ｓ１３１）スキャナーと、スキャナーによって読み取られた読取画像を取り込む読取画像取込手段と、読取画像取込手段に読取画像を取り込ませるための署名の画像を取込用署名画像として利用者毎に管理する署名管理手段とを備え、読取画像取込手段は、読取画像に含まれる署名の画像との類似度が取込用類似度以上の取込用署名画像（Ｓ１３３でＹＥＳ）に署名管理手段によって関連付けられた利用者に関連付けて、読取画像を取り込むことを特徴とする。【選択図】  図５
2016046784.tif 000002
【特許請求の範囲】
【請求項１】
原稿から画像を読み取る読取デバイスと、
前記読取デバイスによって読み取られた読取画像を取り込む読取画像取込手段と、
前記読取画像取込手段に前記読取画像を取り込ませるための署名の画像を取込用署名画像として利用者毎に管理する署名管理手段とを備え、
前記読取画像取込手段は、前記読取画像に含まれる署名の画像との類似度が取込用類似度以上の前記取込用署名画像に前記署名管理手段によって関連付けられた利用者に関連付けて、前記読取画像を取り込むことを特徴とする読取画像取込システム。
【請求項２】
前記署名管理手段は、前記読取画像取込手段による前記読取画像の取り込みを禁止するための署名の画像を取込禁止用署名画像として利用者毎に管理し、
前記読取画像取込手段は、前記読取画像に含まれる署名の画像と、前記署名管理手段によって管理されている前記取込禁止用署名画像との類似度が前記取込用類似度より高い取込禁止用類似度以上である場合に、前記読取画像の取り込みを禁止することを特徴とする請求項１に記載の読取画像取込システム。
【請求項３】
前記署名管理手段は、前記読取画像取込手段によって取り込まれた前記読取画像に含まれる署名の画像を、前記読取画像取込手段によって前記読取画像に関連付けられた利用者に関連付けて、前記取込禁止用署名画像として管理することを特徴とする請求項２に記載の読取画像取込システム。
【請求項４】
前記署名管理手段は、前記読取画像取込手段によって取り込まれた前記読取画像に含まれる署名の画像を、前記読取画像取込手段によって前記読取画像に関連付けられた利用者に関連付けて、前記取込用署名画像として管理することを特徴とする請求項１から請求項３までの何れかに記載の読取画像取込システム。
【請求項５】
原稿から画像を読み取る読取デバイスによって読み取られた読取画像を取り込む読取画像取込手段と、
前記読取画像取込手段に前記読取画像を取り込ませるための署名の画像を取込用署名画像として利用者毎に管理する署名管理手段とを備え、
前記読取画像取込手段は、前記読取画像に含まれる署名の画像との類似度が取込用類似度以上の前記取込用署名画像に前記署名管理手段によって関連付けられた利用者に関連付けて、前記読取画像を取り込むことを特徴とする読取画像取込装置。
【請求項６】
原稿から画像を読み取る読取デバイスによって読み取られた読取画像を取り込む読取画像取込手段、および、
前記読取画像取込手段に前記読取画像を取り込ませるための署名の画像を取込用署名画像として利用者毎に管理する署名管理手段としてコンピューターを機能させ、
前記読取画像取込手段は、前記読取画像に含まれる署名の画像との類似度が取込用類似度以上の前記取込用署名画像に前記署名管理手段によって関連付けられた利用者に関連付けて、前記読取画像を取り込むことを特徴とする読取画像取込プログラム。
【発明の詳細な説明】
【技術分野】
【０００１】
本発明は、読取デバイスによって原稿から読み取られた画像を利用者に関連付けて取り込む読取画像取込システム、読取画像取込装置および読取画像取込プログラムに関する。
【背景技術】
【０００２】
従来、ＩＤおよびパスワードで利用者にログオンさせるシステムが知られている（例えば、特許文献１、２参照。）。ＩＤおよびパスワードで利用者にログオンさせるシステムにおいては、ＩＤおよびパスワードで利用者にログオンさせた後、読取デバイスによって原稿から読み取られた画像を取り込むことによって、読取デバイスによって原稿から読み取られた画像を利用者に関連付けて取り込むことができる。
【先行技術文献】
【特許文献】
【０００３】
【特許文献１】特開２０１２−１６８０５０号公報
【特許文献２】特開２０１２−１６４１１１号公報
【発明の概要】
【発明が解決しようとする課題】
【０００４】
しかしながら、従来のシステムおいては、読取デバイスによって原稿から読み取られた画像を利用者に関連付けて取り込むために、利用者にＩＤおよびパスワードでログオンさせる必要があるので、操作が煩雑であるという問題がある。
【０００５】
そこで、本発明は、読取デバイスによって原稿から読み取られた画像を利用者に関連付けて取り込むための操作を容易化することができる読取画像取込システム、読取画像取込装置および読取画像取込プログラムを提供することを目的とする。
【課題を解決するための手段】
【０００６】
本発明の読取画像取込システムは、原稿から画像を読み取る読取デバイスと、前記読取デバイスによって読み取られた読取画像を取り込む読取画像取込手段と、前記読取画像取込手段に前記読取画像を取り込ませるための署名の画像を取込用署名画像として利用者毎に管理する署名管理手段とを備え、前記読取画像取込手段は、前記読取画像に含まれる署名の画像との類似度が取込用類似度以上の前記取込用署名画像に前記署名管理手段によって関連付けられた利用者に関連付けて、前記読取画像を取り込むことを特徴とする。
【０００７】
この構成により、本発明の読取画像取込システムは、読取デバイスによって読み取られた読取画像に含まれる署名の画像との類似度が取込用類似度以上の取込用署名画像に関連付けられた利用者に関連付けて、読取画像を取り込むので、利用者に関連付けて読取画像を取り込むための操作を容易化することができる。
【０００８】
また、本発明の読取画像取込システムにおいて、前記署名管理手段は、前記読取画像取込手段による前記読取画像の取り込みを禁止するための署名の画像を取込禁止用署名画像として利用者毎に管理し、前記読取画像取込手段は、前記読取画像に含まれる署名の画像と、前記署名管理手段によって管理されている前記取込禁止用署名画像との類似度が前記取込用類似度より高い取込禁止用類似度以上である場合に、前記読取画像の取り込みを禁止しても良い。
【０００９】
この構成により、本発明の読取画像取込システムは、読取画像に含まれる署名の画像と、管理している取込禁止用署名画像との類似度が取込禁止用類似度以上である場合に、読取画像の取り込みを禁止するので、過去に読取画像が取り込まれた原稿に含まれる他人の署名を不正に利用することによるなりすましの発生を抑えることができる。
【００１０】
また、本発明の読取画像取込システムにおいて、前記署名管理手段は、前記読取画像取込手段によって取り込まれた前記読取画像に含まれる署名の画像を、前記読取画像取込手段によって前記読取画像に関連付けられた利用者に関連付けて、前記取込禁止用署名画像として管理しても良い。
【００１１】
この構成により、本発明の読取画像取込システムは、取り込んだ読取画像に含まれる署名の画像を、読取画像に関連付けられた利用者に関連付けて取込禁止用署名画像として管理するので、なりすましの発生を抑える機能を、読取画像を取り込む度に強化することができる。
【００１２】
また、本発明の読取画像取込システムにおいて、前記署名管理手段は、前記読取画像取込手段によって取り込まれた前記読取画像に含まれる署名の画像を、前記読取画像取込手段によって前記読取画像に関連付けられた利用者に関連付けて、前記取込用署名画像として管理しても良い。
【００１３】
この構成により、本発明の読取画像取込システムは、取り込んだ読取画像に含まれる署名の画像を、読取画像に関連付けられた利用者に関連付けて取込用署名画像として管理するので、利用者に関連付けて読取画像を取り込む機能を、読取画像を取り込む度に強化することができる。
【００１４】
本発明の読取画像取込装置は、原稿から画像を読み取る読取デバイスによって読み取られた読取画像を取り込む読取画像取込手段と、前記読取画像取込手段に前記読取画像を取り込ませるための署名の画像を取込用署名画像として利用者毎に管理する署名管理手段とを備え、前記読取画像取込手段は、前記読取画像に含まれる署名の画像との類似度が取込用類似度以上の前記取込用署名画像に前記署名管理手段によって関連付けられた利用者に関連付けて、前記読取画像を取り込むことを特徴とする。
【００１５】
この構成により、本発明の読取画像取込装置は、読取デバイスによって読み取られた読取画像に含まれる署名の画像との類似度が取込用類似度以上の取込用署名画像に関連付けられた利用者に関連付けて、読取画像を取り込むので、利用者に関連付けて読取画像を取り込むための操作を容易化することができる。
【００１６】
また、本発明の読取画像取込プログラムは、原稿から画像を読み取る読取デバイスによって読み取られた読取画像を取り込む読取画像取込手段、および、前記読取画像取込手段に前記読取画像を取り込ませるための署名の画像を取込用署名画像として利用者毎に管理する署名管理手段としてコンピューターを機能させ、前記読取画像取込手段は、前記読取画像に含まれる署名の画像との類似度が取込用類似度以上の前記取込用署名画像に前記署名管理手段によって関連付けられた利用者に関連付けて、前記読取画像を取り込むことを特徴とする。
【００１７】
この構成により、本発明の読取画像取込プログラムは、読取デバイスによって読み取られた読取画像に含まれる署名の画像との類似度が取込用類似度以上の取込用署名画像に関連付けられた利用者に関連付けて、読取画像を取り込むので、利用者に関連付けて読取画像を取り込むための操作を容易化することができる。
【発明の効果】
【００１８】
本発明の読取画像取込システム、読取画像取込装置および読取画像取込プログラムは、読取デバイスによって原稿から読み取られた画像を利用者に関連付けて取り込むための操作を容易化することができる。
【図面の簡単な説明】
【００１９】
【図１】本発明の一実施の形態に係る読取画像取込システムのブロック図である。
【図２】図１に示すＭＦＰのブロック図である。
【図３】図１に示すコンピューターのブロック図である。
【図４】取込用署名画像を記憶する場合の図３に示すコンピューターの動作のフローチャートである。
【図５】原稿から画像を読み取る場合の図２に示すＭＦＰの動作のフローチャートである。
【図６】読取画像を取り込む場合の図３に示すコンピューターの動作のフローチャートである。
【発明を実施するための形態】
【００２０】
以下、本発明の一実施の形態について、図面を用いて説明する。
【００２１】
まず、本実施の形態に係る読取画像取込システムの構成について説明する。
【００２２】
図１は、本実施の形態に係る読取画像取込システム１０のブロック図である。
【００２３】
図１に示すように、読取画像取込システム１０は、原稿から画像を読み取る画像読取装置としてのＭＦＰ（Ｍｕｌｔｉｆｕｎｃｔｉｏｎ  Ｐｅｒｉｐｈｅｒａｌ）２０と、会社における稟議のワークフローシステムなどの特定のワークフローシステムを実現するためのＰＣ（Ｐｅｒｓｏｎａｌ  Ｃｏｍｐｕｔｅｒ）などのコンピューター３０とを備えている。ＭＦＰ２０と、コンピューター３０とは、ＬＡＮ（Ｌｏｃａｌ  Ａｒｅａ  Ｎｅｔｗｏｒｋ）、インターネットなどのネットワーク１１を介して互いに通信可能に接続されている。
【００２４】
図２は、ＭＦＰ２０のブロック図である。
【００２５】
図２に示すように、ＭＦＰ２０は、種々の操作が入力されるボタンなどの入力デバイスである操作部２１と、種々の情報を表示するＬＣＤ（Ｌｉｑｕｉｄ  Ｃｒｙｓｔａｌ  Ｄｉｓｐｌａｙ）などの表示デバイスである表示部２２と、原稿から画像を読み取る読取デバイスであるスキャナー２３と、用紙などの記録媒体に印刷を実行する印刷デバイスであるプリンター２４と、図示していない外部のファクシミリ装置と公衆電話回線などの通信回線経由でファックス通信を行うファックスデバイスであるファックス通信部２５と、ネットワーク１１（図１参照。）経由で外部の装置と通信を行うネットワーク通信デバイスであるネットワーク通信部２６と、各種のデータを記憶しているＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）、ＨＤＤ（Ｈａｒｄ  Ｄｉｓｋ  Ｄｒｉｖｅ）などの不揮発性の記憶デバイスである記憶部２７と、ＭＦＰ２０全体を制御する制御部２８とを備えている。
【００２６】
制御部２８は、例えば、ＣＰＵ（Ｃｅｎｔｒａｌ  Ｐｒｏｃｅｓｓｉｎｇ  Ｕｎｉｔ）と、プログラムおよび各種のデータを記憶しているＲＯＭ（Ｒｅａｄ  Ｏｎｌｙ  Ｍｅｍｏｒｙ）と、ＣＰＵの作業領域として用いられるＲＡＭ（Ｒａｎｄｏｍ  Ａｃｃｅｓｓ  Ｍｅｍｏｒｙ）とを備えている。ＣＰＵは、ＲＯＭまたは記憶部２７に記憶されているプログラムを実行する。
【００２７】
図３は、コンピューター３０のブロック図である。
【００２８】
図３に示すように、コンピューター３０は、種々の操作が入力されるマウスやキーボードなどの入力デバイスである操作部３１と、種々の情報を表示するＬＣＤなどの表示デバイスである表示部３２と、ネットワーク１１（図１参照。）経由で外部の装置と通信を行うネットワーク通信デバイスであるネットワーク通信部３３と、プログラムおよび各種のデータを記憶しているＨＤＤなどの不揮発性の記憶デバイスである記憶部３４と、コンピューター３０全体を制御する制御部３５とを備えている。
【００２９】
記憶部３４は、スキャナー２３（図２参照。）によって帳票などの原稿から読み取られた読取画像を利用者に関連付けて取り込むための読取画像取込プログラム３４ａを記憶している。すなわち、コンピューター３０は、本発明の読取画像取込装置を構成している。
【００３０】
記憶部３４は、読取画像を取り込むための取込用署名画像３４ｂと、読取画像の取り込みを禁止するための取込禁止用署名画像３４ｃとを利用者毎に記憶することができる。取込用署名画像３４ｂおよび取込禁止用署名画像３４ｃは、それぞれ、関連付けられている利用者の識別情報（以下「利用者識別情報」と言う。）が関連付けられている。また、取込用署名画像３４ｂおよび取込禁止用署名画像３４ｃは、それぞれ、識別情報（以下「署名画像識別情報」と言う。）が付与されている。
【００３１】
制御部３５は、例えば、ＣＰＵと、プログラムおよび各種のデータを記憶しているＲＯＭと、ＣＰＵの作業領域として用いられるＲＡＭとを備えている。ＣＰＵは、ＲＯＭまたは記憶部３４に記憶されているプログラムを実行する。
【００３２】
制御部３５は、記憶部３４に記憶されている読取画像取込プログラム３４ａを実行することによって、スキャナー２３によって原稿から読み取られた読取画像を取り込む読取画像取込手段３５ａ、および、署名の画像を利用者毎に管理する署名管理手段３５ｂとして機能する。
【００３３】
次に、読取画像取込システム１０の動作について説明する。
【００３４】
まず、取込用署名画像３４ｂを記憶する場合のコンピューター３０の動作について説明する。
【００３５】
コンピューター３０の署名管理手段３５ｂは、取込用署名画像３４ｂを記憶する処理の開始が操作部３１またはネットワーク通信部３３を介して指示されると、図４に示す動作を開始する。
【００３６】
図４は、取込用署名画像３４ｂを記憶する場合のコンピューター３０の動作のフローチャートである。
【００３７】
図４に示すように、署名管理手段３５ｂは、利用者識別情報と、署名の画像との組み合わせがネットワーク通信部３３を介して入力されたと判断するまで、利用者識別情報と、署名の画像との組み合わせがネットワーク通信部３３を介して入力されたか否かを判断する（Ｓ１０１）。ここで、署名の画像は、例えばＭＦＰ２０のスキャナー２３によって読み取られることが可能である。
【００３８】
署名管理手段３５ｂは、利用者識別情報と、署名の画像との組み合わせが入力されたとＳ１０１において判断すると、入力された署名の画像を取込用署名画像３４ｂとして、入力された利用者識別情報に関連付けて記憶部３４に記憶させる（Ｓ１０２）。すなわち、署名管理手段３５ｂは、署名の画像を取込用署名画像３４ｂとして利用者毎に記憶部３４に記憶させる。
【００３９】
次いで、署名管理手段３５ｂは、Ｓ１０２において取込用署名画像３４ｂとして記憶させた署名の画像を、Ｓ１０２において取込用署名画像３４ｂに関連付けた利用者識別情報に関連付けて、取込禁止用署名画像３４ｃとして記憶部３４に記憶させる（Ｓ１０３）。すなわち、署名管理手段３５ｂは、署名の画像を取込禁止用署名画像３４ｃとして利用者毎に記憶部３４に記憶させる。
【００４０】
署名管理手段３５ｂは、Ｓ１０３の処理の後、図４に示す動作を終了する。
【００４１】
次に、手書きの署名を含む原稿からスキャナー２３によって読み取られた読取画像を利用者に関連付けて取り込む場合の読取画像取込システム１０の動作について説明する。
【００４２】
まず、原稿から画像を読み取る場合のＭＦＰ２０の動作について説明する。
【００４３】
図５は、原稿から画像を読み取る場合のＭＦＰ２０の動作のフローチャートである。
【００４４】
図５に示すように、ＭＦＰ２０の制御部２８は、スキャナー２３によって原稿から画像を読み取った後（Ｓ１３１）、スキャナー２３によって原稿から読み取られた読取画像から署名の画像を抽出する（Ｓ１３２）。
【００４５】
次いで、制御部２８は、Ｓ１３２において抽出した署名の画像との類似度が取込用類似度以上の取込用署名画像３４ｂがコンピューター３０の記憶部３４に記憶されているか否かを判断する（Ｓ１３３）。すなわち、制御部２８は、Ｓ１３２において抽出した署名の画像と、コンピューター３０の記憶部３４に記憶されている取込用署名画像３４ｂとの形状の類似性、すなわち、署名の筆跡の類似性を確認する。
【００４６】
制御部２８は、取込用類似度以上の取込用署名画像３４ｂが記憶されているとＳ１３３において判断すると、Ｓ１３２において抽出した署名の画像との類似度が取込用類似度以上の取込用署名画像３４ｂに関連付けられた利用者識別情報に関連付けられた取込禁止用署名画像３４ｃのうち、Ｓ１３２において抽出した署名の画像との類似度が取込禁止用類似度以上の取込禁止用署名画像３４ｃがコンピューター３０の記憶部３４に記憶されているか否かを判断する（Ｓ１３４）。すなわち、制御部２８は、Ｓ１３２において抽出した署名の画像と、コンピューター３０の記憶部３４に記憶されている取込禁止用署名画像３４ｃとの形状の類似性、すなわち、署名の筆跡の類似性を確認する。ここで、取込禁止用類似度は、Ｓ１３２において抽出した署名の画像と、取込禁止用署名画像３４ｃとが完全に一致する場合など、取込用類似度より高い類似度である。
【００４７】
制御部２８は、取込禁止用類似度以上の取込禁止用署名画像３４ｃが記憶されていないとＳ１３４において判断すると、Ｓ１３１において読み取られた読取画像と、類似度が取込用類似度以上であるとＳ１３３において判断した取込用署名画像３４ｂの署名画像識別情報とをネットワーク通信部２６を介してコンピューター３０に送信して（Ｓ１３５）、図５に示す動作を終了する。
【００４８】
制御部２８は、取込禁止用類似度以上の取込禁止用署名画像３４ｃが記憶されているとＳ１３４において判断すると、Ｓ１３１において読み取られた読取画像と、類似度が取込禁止用類似度以上であるとＳ１３４において判断した取込禁止用署名画像３４ｃの署名画像識別情報とをネットワーク通信部２６を介してコンピューター３０に送信して（Ｓ１３６）、図５に示す動作を終了する。
【００４９】
制御部２８は、取込用類似度以上の取込用署名画像３４ｂが記憶されていないとＳ１３３において判断すると、Ｓ１３１において読み取られた読取画像をネットワーク通信部２６を介してコンピューター３０に送信して（Ｓ１３７）、図５に示す動作を終了する。
【００５０】
次に、読取画像を取り込む場合のコンピューター３０の動作について説明する。
【００５１】
コンピューター３０の読取画像取込手段３５ａは、ＭＦＰ２０から読取画像が送信されてくると、図６に示す動作を実行する。
【００５２】
図６は、読取画像を取り込む場合のコンピューター３０の動作のフローチャートである。
【００５３】
図６に示すように、コンピューター３０の読取画像取込手段３５ａは、ＭＦＰ２０から送信されてきた読取画像をネットワーク通信部３３を介して受信する（Ｓ１６１）。
【００５４】
次いで、読取画像取込手段３５ａは、Ｓ１６１において読取画像とともに取込用署名画像３４ｂの署名画像識別情報を受信したか否かを判断する（Ｓ１６２）。
【００５５】
読取画像取込手段３５ａは、取込用署名画像３４ｂの署名画像識別情報を受信したとＳ１６２において判断すると、送信されてきた署名画像識別情報が示す取込用署名画像３４ｂに関連付けられた利用者識別情報が示す利用者に関連付けて、Ｓ１６１において受信した読取画像をワークフローシステムに取り込む（Ｓ１６３）。すなわち、読取画像取込手段３５ａは、利用者毎に指定されたワークフローに読取画像を取り込む。なお、コンピューター３０は、ワークフローシステムに読取画像を取り込むと、ワークフローシステムにおける図示していない後続の処理を実行する。
【００５６】
署名管理手段３５ｂは、Ｓ１６３の処理の後、Ｓ１６１において受信した読取画像から署名の画像を抽出する（Ｓ１６４）。
【００５７】
次いで、署名管理手段３５ｂは、Ｓ１６４において抽出した署名の画像を取込禁止用署名画像３４ｃとして、Ｓ１６１において受信した署名画像識別情報が示す取込用署名画像３４ｂに関連付けられた利用者識別情報に関連付けて記憶部３４に記憶させる（Ｓ１６５）。すなわち、署名管理手段３５ｂは、署名の画像を取込禁止用署名画像３４ｃとして利用者毎に記憶部３４に記憶させる。
【００５８】
署名管理手段３５ｂは、Ｓ１６５の処理の終了後、図６に示す動作を終了する。
【００５９】
読取画像取込手段３５ａは、取込用署名画像３４ｂの署名画像識別情報を受信していないとＳ１６２において判断すると、Ｓ１６１において読取画像とともに取込禁止用署名画像３４ｃの署名画像識別情報を受信したか否かを判断する（Ｓ１６６）。
【００６０】
読取画像取込手段３５ａは、取込禁止用署名画像３４ｃの署名画像識別情報を受信したとＳ１６６において判断すると、Ｓ１６１において受信した読取画像を、不正に再利用された署名を含む読取画像として履歴に残す（Ｓ１６７）。
【００６１】
読取画像取込手段３５ａは、取込禁止用署名画像３４ｃの署名画像識別情報を受信していないとＳ１６６において判断すると、Ｓ１６１において受信した読取画像を、有効な署名を含まない読取画像として履歴に残す（Ｓ１６８）。
【００６２】
読取画像取込手段３５ａは、Ｓ１６７またはＳ１６８の処理の終了後、図６に示す動作を終了する。
【００６３】
以上に説明したように、読取画像取込システム１０は、スキャナー２３によって読み取られた読取画像に含まれる署名の画像との類似度が取込用類似度以上の取込用署名画像３４ｂに関連付けられた利用者に関連付けて、読取画像を取り込む（Ｓ１６３）ので、利用者に関連付けて読取画像を取り込むための操作を容易化することができる。すなわち、読取画像取込システム１０は、従来のように利用者にＩＤおよびパスワードでログオンさせなくても、利用者に関連付けて読取画像を取り込むことができる。したがって、読取画像取込システム１０は、例えば多数の利用者が次々に読取画像の取り込みを要求する場合であっても、混雑の発生を抑えることができる。
【００６４】
読取画像取込システム１０は、読取画像に含まれる署名の画像と、管理している取込禁止用署名画像３４ｃとの類似度が取込禁止用類似度以上である場合に、読取画像の取り込みを禁止する（Ｓ１６７）ので、過去に読取画像が取り込まれた原稿に含まれる他人の署名を不正に利用することによるなりすましの発生を抑えることができる。例えば、過去に読取画像が取り込まれた原稿に含まれる他人の署名がコピーされた後、コピーされた署名が貼り付けられた原稿が作成された場合、読取画像取込システム１０は、そのような不正な原稿からスキャナー２３によって読み取られた読取画像の取り込みを禁止することができる。
【００６５】
読取画像取込システム１０は、取り込んだ読取画像に含まれる署名の画像を、読取画像に関連付けられた利用者に関連付けて取込禁止用署名画像３４ｃとして管理する（Ｓ１６５）ので、なりすましの発生を抑える機能を、読取画像を取り込む度に強化することができる。
【００６６】
なお、読取画像取込システム１０は、Ｓ１６５の処理と同様に、取り込んだ読取画像に含まれる署名の画像を、読取画像に関連付けられた利用者に関連付けて取込用署名画像３４ｂとして管理しても良い。読取画像取込システム１０は、取り込んだ読取画像に含まれる署名の画像を、読取画像に関連付けられた利用者に関連付けて取込用署名画像３４ｂとして管理する場合、利用者に関連付けて読取画像を取り込む機能を、読取画像を取り込む度に強化することができる。
【００６７】
また、読取画像取込システム１０は、同一の利用者の取込用署名画像３４ｂを複数管理する場合、読取画像を取り込む条件としては種々の条件を採用することができる。例えば、読取画像取込システム１０は、読取画像に含まれる署名の画像が同一の利用者の複数の取込用署名画像３４ｂの全てと取込用類似度以上の類似度がなければ、読取画像を取り込まない構成でも良い。また、読取画像取込システム１０は、読取画像に含まれる署名の画像が同一の利用者の複数の取込用署名画像３４ｂの何れか１つと取込用類似度以上の類似度があれば、読取画像を取り込む構成でも良い。
【００６８】
読取画像取込システム１０は、ＭＦＰ２０と、コンピューター３０とによって構成されている。しかしながら、本発明の読取画像取込システムは、ＭＦＰ２０のみによって構成されていても良い。すなわち、ＭＦＰ２０は、コンピューター３０の機能を備えても良い。ＭＦＰ２０は、コンピューター３０の機能を備えている場合、本発明の読取画像取込装置を構成する。
【００６９】
また、ＭＦＰ２０は、本実施の形態において、原稿から画像を読み取ること、および、読取画像をコンピューター３０に送信すること以外にも、読取画像と、取込用署名画像３４ｂおよび取込禁止用署名画像３４ｃとの類似度の確認などの処理を実行する。しかしながら、ＭＦＰ２０は、原稿から画像を読み取ること、および、読取画像をコンピューター３０に送信することのみを実行しても良い。すなわち、読取画像と、取込用署名画像３４ｂおよび取込禁止用署名画像３４ｃとの類似度の確認などの処理は、コンピューター３０によって実行されても良い。
【００７０】
本実施の形態においては、画像読取装置としてＭＦＰが採用されているが、スキャナー専用機など、ＭＦＰ以外の画像読取装置が採用されても良い。
【符号の説明】
【００７１】
１０  読取画像取込システム
３０  コンピューター（読取画像取込装置）
３４ａ  読取画像取込プログラム
３４ｂ  取込用署名画像
３４ｃ  取込禁止用署名画像
３５ａ  読取画像取込手段
３５ｂ  署名管理手段
【図１】
2016046784.tif 000003
【図２】
2016046784.tif 000004
【図３】
2016046784.tif 000005
【図４】
2016046784.tif 000006
【図５】
2016046784.tif 000007
【図６】
2016046784.tif 000008